(57)【要約】【課題】  無限遠から近距離に至る全物体距離にわたり高い光学性能を有し、かつ高速度でフォーカスすることが容易な光学系を得ること。【解決手段】  物体側から像側へ順に負の屈折力の第１レンズ群、フォーカシングの際に移動する第２レンズ群、フォーカシングの際に移動する第３レンズ群、フォーカシングに際して不動の第４レンズ群を含む光学系において、フォーカシングにおける前記第２レンズ群と前記第３レンズ群の移動量は異なり、前記第２レンズ群は１枚の正レンズよりなり、該正レンズは前記光学系の最も物体側に位置する正レンズであることを特徴としている。【選択図】  図１
2020056865.tif 000002
【特許請求の範囲】
【請求項１】
物体側から像側へ順に負の屈折力の第１レンズ群、
フォーカシングの際に移動する第２レンズ群、
フォーカシングの際に移動する第３レンズ群、
フォーカシングに際して不動の第４レンズ群を含む光学系において、
フォーカシングにおける前記第２レンズ群と前記第３レンズ群の移動量は異なり、
前記第２レンズ群は１枚の正レンズよりなり、
該正レンズは前記光学系に含まれるレンズのうち最も物体側に位置する正レンズであることを特徴とする光学系。
【請求項２】
前記第１レンズ群は２枚または３枚の負レンズからなることを特徴とする請求項１に記載の光学系。
【請求項３】
無限遠から近距離へのフォーカシングにおける、前記第２レンズ群および前記第３レンズ群の移動量を各々Ｄ２、Ｄ３とするとき、
｜Ｄ３／Ｄ２｜＜０．５７
なる条件式を満足することを特徴とする請求項１または２に記載の光学系。
【請求項４】
前記第２レンズ群および前記第３レンズ群の焦点距離を各々ｆ２、ｆ３、前記光学系の焦点距離をｆとするとき、
４．９４＜ｆ２／ｆ＜１３．１０
４．８４＜｜ｆ３｜／ｆ＜８．８２
なる条件式を満足することを特徴とする請求項１乃至３のいずれか１項に記載の光学系。
【請求項５】
前記第２レンズ群は１枚の正レンズＧ２ａより構成され、前記正レンズＧ２ａの材料の屈折率をＮｐ、アッベ数をｖｄｐとするとき、
１．４４＜Ｎｐ＜１．９８
１６．０＜Ｖｄｐ＜４１．８
なる条件式を満足することを特徴とする請求項１乃至４のいずれか１項に記載の光学系。
【請求項６】
前記第２レンズ群と前記第３レンズ群との間にフォーカシングに際して不動の中間群を有することを特徴とする請求項１乃至５のいずれか１項に記載の光学系。
【請求項７】
前記光学系は、前記第１乃至第４レンズ群および前記中間群からなり、
前記第２レンズ群は正の屈折力を有し、
前記第３レンズ群は正の屈折力を有し、
前記第４レンズ群は正の屈折力を有し、
前記中間群は負の屈折力を有することを特徴とする請求項６に記載の光学系。
【請求項８】
前記光学系は、前記第１乃至第４レンズ群から成り、
前記第２レンズ群は正の屈折力を有し、
前記第３レンズ群は負の屈折力を有し、
前記第４レンズ群は正の屈折力を有することを特徴とする請求項１乃至５のいずれか一項に記載の光学系。
【請求項９】
請求項１乃至８のいずれか１項に記載の光学系と、該光学系によって形成された像を受光する撮像素子を有することを特徴とする撮像装置。
【請求項１０】
前記光学系の最大撮像半画角をωとするとき、
ω＞７０．０°
なる条件式を満足することを特徴とする請求項９に記載の撮像装置。
【発明の詳細な説明】
【技術分野】
【０００１】
本発明は光学系およびそれを有する撮像装置に関し、例えばデジタルスチルカメラ、ビデオカメラ、監視カメラ、放送用カメラ等の撮像素子を用いた撮像装置に用いる撮像光学系として好適なものである。
【背景技術】
【０００２】
従来、撮像装置に用いられる撮像光学系には、広画角でより近距離物体にフォーカス（合焦）することができ、しかも無限遠から近距離に至る全物体距離にわたり高い光学性能を有することが要望されている。またオートフォーカス（自動焦点調節）を行う際には、高速度でフォーカスできることが要望されている。一般に、広画角の撮像光学系としての魚眼レンズや超広角レンズにおいては、諸収差の発生が多く、特に物体側の強い負の屈折力のレンズに起因して像面湾曲、非点収差が多く発生し、近距離において光学性能が低下する傾向がある。
【０００３】
従来、フォーカシングの際に複数のレンズ群を独立に移動させ、フォーカシングに際しての諸収差の変動を補正する、所謂フローティング方式を採用した撮像光学系が知られている（特許文献１）。特許文献１では、広画角の魚眼レンズにおいて無限遠から近距離にフォーカスする際、前群と後群との空気間隔を拡大しながら双方を移動することで無限遠から近距離までの全物体距離において高い光学性能を得ている。
【先行技術文献】
【特許文献】
【０００４】
【特許文献１】特開２００４−６９７６８号公報
【発明の概要】
【発明が解決しようとする課題】
【０００５】
フォーカシングに際して２つ以上のレンズ群を移動させるフローティング方式は近距離の際の収差変動を軽減するのに大変有効である。しかしながら、フォーカシングに際して収差変動を軽減し、全物体距離において高い光学性能を得るには、適切なフローティング方式を用いること、かつレンズ構成全体を適切に設定することが重要になってくる。
【０００６】
これらの構成が適切でないと、全系が大型化し、又、フォーカシングに伴う諸収差の変動が増大し、全物体距離および画面全体にわたり高い光学性能を得るのが大変難しくなってくる。例えば、フォーカシングに際して全レンズ群の中で最も有効径が大きく重量が重いレンズをフォーカス用のレンズとすると、高速度なフォーカシングが困難になる。
【０００７】
本発明は、無限遠から近距離に至る全物体距離にわたり高い光学性能を有し、かつ高速度でフォーカスすることが容易な光学系およびそれを有する撮像装置の提供を目的とする。
【課題を解決するための手段】
【０００８】
本発明の光学系は、物体側から像側へ順に負の屈折力の第１レンズ群、フォーカシングの際に移動する第２レンズ群、フォーカシングの際に移動する第３レンズ群、フォーカシングに際して不動の第４レンズ群を含む光学系において、フォーカシングにおける前記第２レンズ群と前記第３レンズ群の移動量は異なり、前記第２レンズ群は１枚の正レンズよりなり、該正レンズは前記光学系に含まれるレンズのうち最も物体側に位置する正レンズであることを特徴としている。
【発明の効果】
【０００９】
本発明によれば、無限遠から近距離に至る全物体距離にわたり高い光学性能を有し、また高速度でフォーカスするのが容易な光学系およびそれを有する撮像装置が得られる。
【図面の簡単な説明】
【００１０】
【図１】実施例１に係る光学系の無限遠の合焦状態におけるレンズ断面図
【図２】（Ａ）、（Ｂ）  実施例１に係る光学系の無限遠の合焦状態と至近距離の合焦状態における収差図
【図３】実施例２に係る光学系の無限遠の合焦状態におけるレンズ断面図
【図４】（Ａ）、（Ｂ）  実施例２に係る光学系の無限遠の合焦状態と至近距離の合焦状態における収差図
【図５】実施例３に係る光学系の無限遠の合焦状態におけるレンズ断面図
【図６】（Ａ）、（Ｂ）  実施例３に係る光学系の無限遠の合焦状態と至近距離の合焦状態における収差図
【図７】本発明の撮像装置の要部概略図
【発明を実施するための形態】
【００１１】
以下、本発明の光学系およびそれを有する撮像装置について、添付の図面に基づいて説明する。本発明の光学系は、物体側から像側へ順に負の屈折力の第１レンズ群、フォーカシングに際して移動する第２レンズ群、フォーカシングに際して移動する第３レンズ群、フォーカシングに際して不動の第４レンズ群を有する。フォーカシングに際して第２レンズ群、第３レンズ群とは異なる移動量で移動する。第２レンズ群と第３レンズ群との間にフォーカシングに際して不動の中間群を有する場合もある。
【００１２】
図１は実施例１の無限遠に合焦時のレンズ断面図である。図２（Ａ）、（Ｂ）はそれぞれ実施例１の無限遠および至近距離（撮影距離３．０ｍ）に合焦時の収差図である。実施例１は撮像半画角８９．９°、Ｆナンバー２．２８の光学系である。
【００１３】
図３は実施例２の無限遠に合焦時のレンズ断面図である。図４（Ａ）、（Ｂ）はそれぞれ実施例２の無限遠および至近距離（撮影距離３．０ｍ）に合焦時の収差図である。実施例２は撮像半画角８９．９°、Ｆナンバー２．２８の光学系である。
【００１４】
図５は実施例３の無限遠に合焦時のレンズ断面図である。図６（Ａ）、（Ｂ）はそれぞれ実施例３の無限遠および至近距離（撮影距離３．０ｍ）に合焦時の収差図である。実施例３は半画角８９．９°、Ｆナンバー２．２８の光学系である。
【００１５】
図７は本発明の撮像装置の要部概略図である。
【００１６】
各実施例の光学系はビデオカメラやデジタルカメラ等の撮像装置に用いられる光学系（撮像光学系）である。レンズ断面図において、左方が物体側で、右方が像側である。Ｌ０は光学系である。Ｌｉは物体側から数えたときの第ｉレンズ群である。ＬＭは第２レンズ群Ｌ２と第３レンズ群Ｌ３との間に配置された中間群である。ＳＰは開口絞りである。
【００１７】
ＩＰは像面であり、ビデオカメラやデジタルスチルカメラの撮像光学系として使用する際にはＣＣＤセンサやＣＭＯＳセンサ等の撮像素子（光電変換素子）の撮像面に相当する。矢印は無限遠から至近距離へのフォーカシングに際してのレンズ群の移動方向を示している。
【００１８】
収差図のうち、球面収差図において実線のｄはｄ線（波長５８７．５６ｍｍ）、破線のｇはｇ線（波長４３５．８ｍｍ）である。非点収差図において破線のΔＭはｄ線でのメリディオナル像面、実線のΔＳはｄ線でのサジタル像面である。また、歪曲を示す図はｄ線における歪曲を示している。倍率色収差はｇ線について示している。ＦｎｏはＦナンバー、ωは撮像半画角（度）である。
【００１９】
本発明の光学系の特徴について説明する。超広角レンズや魚眼レンズ等のレトロフォーカスタイプの光学系における、最も物体側のレンズは有効径が大きくなり、かつ重量が大きくなりやすい。そこで各実施例では、第１レンズ群Ｌ１を不動とし、有効径の小さい第２レンズ群Ｌ２と第２レンズ群Ｌ２以降のレンズ群をフォーカシングの際の移動するレンズ群とすることで、高速度なフォーカスを容易にしている。
【００２０】
この時、無限遠から近距離へのフォーカシングに際して第１レンズ群Ｌ１を通る光線の入射高さが変化し、第１レンズ群Ｌ１より歪曲収差、像面湾曲、非点収差等の諸収差が多く発生し、また収差の変動が大きくなりやすい。そこで、フォーカシングに際して軸外光線の入射高さが高い第２レンズ群Ｌ２を移動させることでこれらの収差変動を効率良く軽減し、無限遠から近距離に至る全物体距離にわたり高い光学性能を得ている。
【００２１】
また、広画角の光線を取り込むために第１レンズ群Ｌ１は負の屈折力としている。第２レンズ群Ｌ２は１枚の正レンズＧ２ａよりなる。そして正レンズＧ２ａは、光学系に含まれるレンズのうち最も物体側に位置する正レンズである。物体側の軸外光線の入射高さが高い正レンズは負の屈折力の第１レンズ群で発生する像面湾曲や非点収差の補正効果が高いため、このようなレンズ構成とすることで無限遠から近距離まで全物体距離にわたり高い光学性能を得ている。
【００２２】
また、１枚の正レンズＧ２ａから構成することによりフォーカシングの際の移動レンズ群の重量を軽量として、高速度なフォーカスを容易にしている。
【００２３】
以上の構成により、無限遠から近距離に至る全物体距離にわたり高い光学性能を有し、また高速度でフォーカスすることが容易な光学系を得ている。
【００２４】
次に、本発明を実施するための好ましい条件について説明する。
【００２５】
各実施例の光学系では、第１レンズ群Ｌ１は２枚または３枚の負レンズから構成されることが好ましい。負レンズの枚数が多く、第２レンズ群Ｌ２を通る軸外光線の入射高が低くなると、第２レンズ群Ｌ２による像面湾曲、非点収差の補正効果が弱くなるため好ましくない。負レンズの枚数が少ないと負の屈折力が弱まり、広画角の光線を取り込むことが困難になる。
【００２６】
本発明において、更に好ましくは次の条件式のうち１つ以上を満足するのが良い。
【００２７】
無限遠から近距離へのフォーカシングにおける第２レンズ群Ｌ２および第３レンズ群Ｌ３の移動量を各々Ｄ２、Ｄ３とする。移動量の符号は像側へ移動するときを正、物体側へ移動するときを負とする。第２レンズ群Ｌ２および第３レンズ群Ｌ３の焦点距離各々をｆ２、ｆ３、光学系の焦点距離をｆとする。第２レンズ群Ｌ２は１枚の正レンズＧ２ａより構成され、正レンズＧ２ａの材料の屈折率をＮｐ、アッベ数をｖｄｐとする。
【００２８】
各実施例の光学系と光学系によって形成された像を受光する撮像素子を有する撮像装置において光学系の最大撮像半画角をωとする。このとき、次の条件式のうち１つ以上を満足するのが良い。
【００２９】
｜Ｄ３／Ｄ２｜＜０．５７            ・・・（１）
４．９４＜ｆ２／ｆ＜１３．１０      ・・・（２）
４．８４＜｜ｆ３｜／ｆ＜８．８２    ・・・（３）
１．４４＜Ｎｐ＜１．９８            ・・・（４）
１６．０＜Ｖｄｐ＜４１．８          ・・・（５）
ω＞７０．０°                      ・・・（６）
次に前述の条件式の技術的意味について説明する。
【００３０】
条件式（１）の上限値を超えると、フォーカシングの際の収差変動を良好に補正するのが困難になる。
【００３１】
条件式（２）の下限値を超えると、像面湾曲や非点収差が補正過剰になるため好ましくない。条件式（２）の上限値を超えるとフォーカシングの際の収差変動を十分に補正するためのレンズ群の移動量が長くなり、フォーカシングを高速に行うことが困難になり好ましくない。
【００３２】
条件式（３）の下限値を超えると、フォーカシングの際の収差変動が大きくなるため好ましくない。条件式（３）の上限値を超えるとフォーカシングの際の第３レンズ群Ｌ３の移動量が長くなるため、フォーカシングを高速に行うことが困難になり好ましくない。
【００３３】
条件式（４）の下限値を超えると、正レンズＧ２ａの屈折力が弱くなり像面湾曲や非点収差の補正効果が弱くなり好ましくない。条件式（４）の上限値を超えると、像面湾曲や非点収差が補正過剰になり好ましくない。
【００３４】
条件式（５）の下限値を超えると、正レンズＧ２ａより倍率色収差が大きく発生するので好ましくない。条件式（５）の上限値を超えると、第１レンズ群Ｌ１に含まれる負レンズより生じる倍率色収差を正レンズＧ２ａで補正する効果が弱まり、好ましくない。
【００３５】
広画角な光学系においてはフォーカシングに際して第１レンズ群Ｌ１より発生する歪曲収差、像面湾曲、非点収差の変動が大きくなりやすい。条件式（６）は、これらの収差補正の効果が高くなるために好ましい範囲である。
【００３６】
更に好ましくは、条件式（１）乃至（６）の数値範囲を次の如く設定するのが良い。
【００３７】
｜Ｄ３／Ｄ２｜＜０．５５・・・（１ａ）
５．２７＜ｆ２／ｆ＜１２．６２    ・・・（２ａ）
５．１６＜｜ｆ３｜／ｆ＜８．５０  ・・・（３ａ）
１．５１＜Ｎｐ＜１．９０          ・・・（４ａ）
２１．０＜Ｖｄｐ＜４０．８        ・・・（５ａ）
ω＞８０．０°                    ・・・（６ａ）
次に、各実施例の各レンズ群におけるレンズ構成について説明する。
【００３８】
実施例１において、第１レンズ群Ｌ１は物体側から像側へ順に配置された２枚の負レンズから構成される。第２レンズ群Ｌ２は１枚の正レンズＧ２ａから構成され、正レンズＧ２ａは物体側から数えて３番目に配置されたレンズに相当する。第３レンズ群Ｌ３は、１枚の正レンズＧ３ａから構成され、正レンズＧ３ａは物体側から数えて７番目に配置されたレンズに相当する。また、実施例１において、第２レンズ群Ｌ２と第３レンズ群Ｌ３の間に、フォーカシングに際して不動である負の屈折力の中間群ＬＭが配置されている。
【００３９】
無限遠から近距離へのフォーカシングの際、第２レンズ群Ｌ２は像側へ移動し、第３レンズ群Ｌ３は物体側へ移動する。それにより、無限遠から物体距離（数値データをｍｍ単位で表したとき、以下同じ）３．０ｍまでの全物体距離で高い光学性能を達成し、また高速度なフォーカスを容易にしている。Ｌ４は正の屈折力の第４レンズ群である。
【００４０】
実施例２において、第１レンズ群Ｌ１は、物体側から像側へ順に配置された３枚の負レンズから構成される。第２レンズ群Ｌ２は１枚の正レンズＧ２ａから構成され、正レンズＧ２ａは物体側から数えて４番目に配置されたレンズに相当する。第３レンズ群Ｌ３は１枚の正レンズＧ３ａから構成され、正レンズＧ３ａは物体側から数えて８番目に配置されたレンズに相当する。また、実施例２において、第２レンズ群Ｌ２と第３レンズ群Ｌ３の間に、フォーカシングに際して不動である負の屈折力の中間群ＬＭが配置されている。
【００４１】
無限遠から近距離へのフォーカシングの際、第２レンズ群Ｌ２は像側へ移動し第３レンズ群Ｌ３は像側へ移動する。それにより、無限遠から物体距離３．０ｍまでの全物体距離で高い光学性能を達成し、また高速度なフォーカスを容易にしている。Ｌ４は正の屈折力の第４レンズ群である。
【００４２】
実施例３において、第１レンズ群Ｌ１は、物体側から像側へ順に配置された３枚の負レンズから構成される。第２レンズ群Ｌ２は１枚の正レンズＧ２ａから構成され、正レンズＧ２ａは物体側から数えて４番目に配置されたレンズに相当する。第３レンズ群Ｌ３は１枚の負レンズＧ３ａより構成され、負レンズＧ３ａは物体側から数えて５番目のレンズに相当する。無限遠から近距離へのフォーカシングの際、第２レンズ群Ｌ２は物体側へ移動し、第３レンズ群Ｌ３は物体側へ移動する。それにより、無限遠から物体距離３．０ｍまでの全物体距離で高い光学性能を達成し、また高速度なフォーカスを容易にしている。Ｌ４は正の屈折力の第４レンズ群である。
【００４３】
図７の本発明の撮像装置について説明する。図７において、２０はカメラ本体、２１は本発明の光学系によって構成された撮像光学系である。２２は撮像光学系２１によって形成された被写体像を受光するＣＣＤなどの撮像素子（光電変換素子）である。２３は撮像素子２２が受光した被写体像を記録する記録手段、２４は不図示の表示素子に表示された被写体像を観察するためのファインダーである。上記表示素子は液晶パネルなどによって構成され、撮像素子２２上に形成された被写体像が表示される。
【００４４】
以上、本発明の好ましい実施形態について説明したが、本発明はこれらの実施形態に限定されず、その要旨の範囲内で種々の変形および変更が可能である。
【００４５】
次に、本発明の実施例１乃至３にそれぞれ対応する数値データ１乃至３を示す。各数値データにおいて、ｉは物体側からの光学面の順序を示す。ｒｉは第ｉ番目の光学面（第ｉ面）の曲率半径、ｄｉは第ｉ面と第ｉ＋１面との間の間隔、ｎｄｉとνｄｉはそれぞれｄ線に対する第ｉ番目の光学部材の材料の屈折率、アッベ数を示す。各実施例において、バックフォーカス（ＢＦ）は、レンズ系の最も像側の面から像面までの距離を、空気換算長により表したものである。間隔が可変のところは物体距離が変化したときの値である。また、各数値データにおける上述した条件式との対応を表１に示す。
【００４６】
（数値データ１）
単位 mm
面データ
面番号       r        d      nd         vd       有効径
1         67.354    2.08   1.89543    35.6       69.11
2         23.349   17.39                         43.89
3       -776.758    1.72   1.89243    36.9       40.23
4         35.352  (可変)                         35.01
5        329.651    6.76   1.83062    23.4       29.75
6        -43.827  (可変)                         28.49
7        -30.079    1.08   1.49925    81.2       23.97
8         21.033    8.09                         21.00
9        -14.855   10.69   1.71149    55.6       20.86
10        -14.892    1.30   1.90147    34.7       25.86
11        -20.871  (可変)                         28.59
12        136.718    4.06   1.84226    41.2       29.36
13        -58.019  (可変)                         29.31
14(絞り)    ∞       3.00                         15.50
15         16.822    8.00   1.49700    81.5       15.40
16        -88.187    0.11                         14.94
17        714.778    0.77   1.85605    24.7       14.89
18         13.101    7.00   1.49700    81.5       14.69
19        -18.924    0.45                         15.47
20        -16.660    0.81   1.74814    41.8       15.46
21         13.959    7.36   1.80694    22.8       17.85
22        -33.065    0.10                         18.74
23         26.703   10.54   1.49700    81.5       19.09
24        -11.982    0.94   1.89137    37.0       18.27
25        131.024    1.20                         20.11
26        126.016    8.00   1.49700    81.5       21.14
27        -15.988   12.05                         22.49
像面        ∞   
可変間隔データ
面番号    無限遠合焦状態  近距離合焦状態
4            14.7687          14.8807
6             2.8533           2.7412
11             0.4060           0.3995
13            35.0400          35.0465
各種データ
焦点距離       6.36  
Fナンバー      2.28  
撮像半画角（度）9.89  
像高           9.15  
レンズ全長   166.55  
BF            12.05  
入射瞳位置    22.00  
射出瞳位置  -117.69  
前側主点位置  28.05  
後側主点位置   5.69  
群データ
群                始面  終面  焦点距離  
第１レンズ群Ｌ１    1    4     -16.04  
第２レンズ群Ｌ２    5    6      46.96  
中間群ＬＭ          7   11     -24.84
第３レンズ群Ｌ３   12   13      48.83  
第４レンズ群Ｌ４   15   27      35.42
（数値データ２）
単位mm
面データ
面番号       r        d      nd         vd       有効径
1         77.224    2.45   1.84666    23.9       81.31
2         26.506   19.34                         50.42
3        119.154    1.90   1.72916    54.7       43.71
4         46.615    7.15                         38.78
5        -91.474    1.60   1.49700    81.5       37.34
6         30.983  (可変)                         32.20
7         63.313    6.43   1.81474    37.0       30.03
8        -49.364  (可変)                         28.98
9        -34.753    1.10   1.49700    81.5       24.95
10         19.350    8.20                         21.05
11        -18.515   11.39   1.72916    54.7       20.49
12        -16.302    1.25   1.89190    37.1       24.06
13        -25.822  (可変)                         25.69
14        149.300    6.65   1.91348    32.4       25.68
15        -66.323  (可変)                         25.28
16(絞り)    ∞       3.00                         14.90
17         21.080    7.74   1.49700    81.5       14.91
18       -180.435    1.23                         15.49
19         52.896    0.85   1.85150    40.8       15.69
20         12.266    6.40   1.49700    81.5       15.43
21        -79.723    0.10                         16.39
22         43.957    5.50   1.49700    81.5       16.85
23        -15.875    0.90   1.83489    42.6       17.05
24        124.294    2.46                         18.17
25         42.743    9.31   1.49700    81.5       20.58
26        -21.277   16.97                         21.94
像面        ∞   
可変間隔データ
面番号    無限遠合焦状態  近距離合焦状態
6             8.4160           8.4862
8             2.1669           2.0966
13             1.0486           1.0492
15            27.0575          27.0569
各種データ
焦点距離       6.36  
Fナンバー      2.28  
撮像半画角（度）89.89  
像高           9.15  
レンズ全長   160.62  
BF            16.97  
入射瞳位置    25.61  
射出瞳位置   -66.68  
前側主点位置  31.49  
後側主点位置  10.61  
群データ
群                始面  終面  焦点距離  
第１レンズ群Ｌ１    1    6     -14.33  
第２レンズ群Ｌ２    7    8      34.94  
中間群ＬＭ          9   13     -23.53
第３レンズ群Ｌ３   14   15      51.02  
第４レンズ群Ｌ４   17   26      33.54
（数値データ３）
単位mm
面データ
面番号       r        d      nd         vd       有効径
1         76.514    2.45   1.85478    24.8       82.00
2         25.671   23.27                         49.59
3       -191.646    1.75   1.49700    81.5       43.57
4         31.654    4.95                         35.63
5         99.582    1.60   1.49700    81.5       34.89
6         32.955  (可変)                         32.27
7       -232.822    4.51   1.60342    38.0       31.71
8        -38.473  (可変)                         31.41
9        -26.934    1.35   1.49700    81.1       27.00
10         46.889  (可変)                         26.01
11       2342.871    4.93   1.85400    40.4       27.68
12        -54.653   36.38                         27.78
13(絞り)    ∞       8.01                         18.48
14         25.087    3.05   1.52855    77.0       18.91
15        122.195   11.26                         18.53
16         43.989    1.00   1.80170    44.3       19.35
17         13.461    8.57   1.49700    81.5       18.86
18       -157.634    1.00                         19.98
19         34.568    7.62   1.49700    81.5       20.93
20        -19.481    1.10   1.87800    38.2       20.92
21        125.275    1.00                         22.06
22         63.384   12.47   1.49700    81.5       23.10
23        -21.476   19.63                         25.20
像面        ∞   
可変間隔データ
面番号    無限遠合焦状態  近距離合焦状態
6             6.4046           6.2616
8             4.4602           4.5289
10            27.1916          27.2658
各種データ
焦点距離       6.36  
Fナンバー      2.29  
撮像半画角（度）89.90 
像高           9.15  
レンズ全長   193.95  
BF            19.63  
入射瞳位置    25.61  
射出瞳位置  -309.16  
前側主点位置  31.84  
後側主点位置  13.27  
レンズ群データ
群                始面  終面  焦点距離  
第１レンズ群Ｌ１    1    6     -14.75  
第２レンズ群Ｌ２    7    8      75.72  
第３レンズ群Ｌ３    9   10     -34.21  
第４レンズ群Ｌ４   11   23      82.32
【００４７】
【表１】
2020056865.tif 000003
【符号の説明】
【００４８】
Ｌ０  光学系、Ｌ１  第１レンズ群、Ｌ２  第２レンズ群、Ｌ３  第３レンズ群、
ＬＭ  中間群、Ｇ２ａ  正レンズ、Ｇ３ａ  正レンズ
【図１】
2020056865.tif 000004
【図２】
2020056865.tif 000005
【図３】
2020056865.tif 000006
【図４】
2020056865.tif 000007
【図５】
2020056865.tif 000008
【図６】
2020056865.tif 000009
【図７】
2020056865.tif 000010